(57)【特許請求の範囲】
【請求項１】
後面部が開口され、この開口部からベースを備えた内部機器を挿入して収容装着すると共に、前記開口部から前記ベースに装着した端子を突出させた箱状のケースを有し、このケースの前面部が箱状に形成された他の部分と共に一体に形成され、且つ、前記前面部を透明に形成すると共に、該前面部には、その内側に配置された表示板を透視可能な窓部を設けたフロントカバーを被せて構成したことを特徴とする制御機器のケース構造。
【請求項２】
前記フロントカバーは着色されて構成されていることを特徴とする請求項１記載の制御機器のケース構造。
【発明の詳細な説明】
【０００１】
【産業上の利用分野】
本発明は、温調器、カウンタ等の制御機器のケース構造に関するものである。
【０００２】
【従来の技術】
従来のこの種の制御機器のケース構造では、制御パネル外に出るデザインは、ＰＥＴ等によるシートによる色や印刷内容の変更により、多機種の品揃えをしている。
【０００３】
そして、従来の制御機器のケース構造にあっては、図１７及び図１８に示すようにケース９０の前面部９１に開口部９２が形成してあり、この開口部９２の周部には接着面部９３が前面部９１の表面と段差をもって形成してある。そして、開口部９２にはフロントシート９４がその裏面の周部の粘着面部で前記接着面部９３に接着して取り付けてある。
【０００４】
【発明が解決しようとする課題】
しかしながら、上記従来の制御機器のケース構造にあっては、前記開口部９２に、フロントシート９４がその裏面の粘着面部で前記接着面部９３に接着して取り付けてあるために、このフロントシート９４の裏面の粘着面積が小さいときには防水性が劣るという問題点があったし、また、前記ケース９０の制御パネル９５外に出る前部の上、下面部９０ａ、９０ｂ及び左、右面部９０ｃ、９０ｄの色は変えることができず、これらの部分が制御パネル９５の色に調和しない場合が多々あり、デザイン上違和感がある等の問題点があった。
【０００５】
本発明は、上記の問題点に着目して成されたものであって、その第１の目的とするところは、防水性の優れた制御機器のケース構造を提供することにある。
【０００６】
また、本発明の第２の目的とするところは、ケースの制御パネル外に出る前部の色を種々変えることができてデザイン上違和感のない制御機器のケース構造を提供することにある。
【０００７】
【課題を解決するための手段】
上記の第１の目的を達成するために、本発明は、後面部が開口され、この開口部からベースを備えた内部機器を挿入して収容装着すると共に、前記開口部から前記ベースに装着した端子を突出させた箱状のケースを有し、このケースの前面部が箱状に形成された他の部分と共に一体に形成され、且つ、前記前面部を透明に形成すると共に、該前面部には、その内側に配置された表示板を透視可能な窓部を設けたフロントカバーを被せて構成したことを特徴とする。
【０００８】
また、上記の第２の目的を達成するために、本発明は、請求項１記載の制御機器のケース構造において、フロントカバーが着色されて構成されていることを特徴とする。
【０００９】
【作用】
請求項１に係わる発明の構成により、ケースの前面側からの防水が確実なものになる。
【００１０】
また、請求項２に係わる発明の構成により、ケースの制御パネル外に出る前部の色を種々変えることができて、この前部が制御パネルの色に調和するようにフロントカバーを選ぶことにより、デザイン上違和感のないものにすることができる。
【００１１】
【実施例】
以下、本発明の実施例を図面に基づいて説明する。
【００１２】
（実施例１）
図１は本発明に係わる制御機器の一部省略した分解斜視図、図２は同制御機器の制御パネルへの取付状態の断面図、図３は同制御機器の正面図、図４は本発明に係わる制御機器のケース構造の前部分の断面図である。
【００１３】
制御機器のケース構造は、ケース１と、フロントカバー２とを備えている。そして、このケース１はその前面部１ａ、上、下面部１ｂ、１ｃ及び左、右面部１ｄ、１ｅを有し且つ後面部が開口された箱状態であり、このケース１は、その前面部１ａ、上、下面部１ｂ、１ｃ及び左、右面部１ｄ、１ｅが一体に透明な合成樹脂で成形されている。
【００１４】
このケース１の先側には上、下面部１ｂ、１ｃ及び左、右面部１ｄ、１ｅに跨がって鍔部３が一体形成してあり、この鍔部３の上、下部位に係合凹部４が形成してある。また、ケース１の前面部１ａの右隅部の肉厚は厚くしてあり、この右隅部にスイッチ挿入孔部５が形成してある。また、前記上、下面部１ｂ、１ｃの後部には係止孔１３が形成してある。
【００１５】
前記ケース１内には内部機器６が収容装着してある。この内部機器６はベース７を備えており、このベース７の前部には表示板取付部８が、中間部には基板取付部９が、後部には端子台１０がそれぞれ形成してあり、この端子台１０には係止突起１４が設けてある。そして、表示板取付部８には表示板１１が、前面部１ａの内側に配置されるように取付けられて、前記基板取付部９には基板９ａが、前記端子台１０には端子１２が取付けてある。
【００１６】
すなわち、前記端子１２は、ねじ孔１２ａを有する端子本体１２ｂに直線状の接触部１２ｃを形成したものであり、この端子１２は、図５に示すように前記端子台１０の端子取付部１０ａに端子ねじ１０ｂにより取り付けられた後に、前記接触部１２ｃが前記ベース７の上面７ａにほぼ平行するように折り曲げてある。
【００１７】
そして、前記基板９ａは、その先端部を、前記接触部１２ｃと前記ベース７の上面７ａとの間に挿入して、この上面７ａに載せ、接触部１２ｃを基板９ａの接続パターン（図示せず）に半田付けされることで、基板９ａは基板取付部９に取り付けられている。
【００１８】
そして、この内部機器６は、前記ケース１に、この後部の開口部１ｆから挿入され、前記係止突起１４が前記係止孔１３に係止されて、前記表示板１１が、前記ケース１の透明な前面部１ａを透かして見えており、また、前記端子台１０はケース１の後方に突出している。
【００１９】
前記フロントカバー２は、前面部２ａと、上、下面部２ｂ、２ｃ及び左，右面部２ｄ、２ｅを有し、前面部２ａには窓部１５が、また前面部２ａの右下隅部にはスイッチ用孔部１６が形成してある。また、前記上、下面部２ｂ、２ｃの中央には係止突起１７が設けてある。
【００２０】
このように構成されたフロントカバー２は着色された合成樹脂製であり、例えば制御機器が装着される制御パネル１８の色と同色にしてある。
【００２１】
そして、制御パネル１８に形成された装着孔１９に、内部に内部機器６を収容したケース１を挿入して前記鍔部３と制御パネル１８との間にシール材２０を介装してケース１が制御パネル１８に固着してあり、この場合、前記ケース１の前部は前記制御パネル１８より表側に突出している。そして、このケース１の前部に、前記制御パネル１８の色と同色に着色されたフロントカバー２が被せてあって、このフロントカバー２の係止突起１７が、前記鍔部３の上、下部位の係止凹部４に係止してこのフロントカバー２がケース１に取り付けてある。この場合、前記フロントカバー２の窓部１５から前記表示板１１の表示が見えるようになる。
【００２２】
そして、フロントカバー２のスイッチ用孔部１６を介してケース１のスイッチ挿入孔部５にスイッチ操作部材２１が挿入してあり、このスイッチ操作部材２１に設けられたＯリング２２が前記スイッチ挿入孔部５の周面に圧着して液密性を保持している。
【００２３】
上記のように、前記ケース１の前面部１ａが、他の部分と共に一体に形成されていて、少なくとも前面部１ａが透明であり、しかも、フロントカバー２を、ケース１の前面部１ａに被せて構成されているために、ケース１の前面側からの防水が確実なものになる。
【００２４】
しかも、ケース１にフロントカバー２を被せることにより、ケース１の制御パネル１８外に出る前部の色を種々変えることができて、この前部が制御パネル１８の色に調和するようにフロントカバー２を選ぶことにより、デザイン上違和感のないものにすることができる。
【００２５】
上記した実施例においては、前記端子１２は、図５に示すように前記端子台１０の端子取付部１０ａに端子ねじ１０ｂにより取り付けられた後に、前記接触部１２ｃが前記ベース７の上面７ａにほぼ平行するように折り曲げており、そして、前記基板９ａは、その先端部を、前記接触部１２ｃと前記ベース７の上面７ａとの間に挿入して、この上面７ａに載せ、接触部１２ｃを基板９ａの接続パターンに半田付けされることで、基板９ａは基板取付部９に取り付けられるために、端子１２の取付状態によって、基板９ａと前記接触部１２ｃとの間に浮き（隙間）ができ、半田付け強度、信頼性に欠ける場合があった。また、基板９ａを基板取付部９に取り付ける時も、前記端子１２がすでに端子台１０に取り付けてあるために、基板９ａを斜めに端子１２の接触部の下に差し込んむようにしなければならず、組み立ての自動化にそぐわないものになっていった。
【００２６】
かかる不具合を解消するものとして図６乃至図１５に示す実施例２に示す制御機器が開発された。以下に、この制御機器を説明する。
【００２７】
（実施例２）
制御機器は、ケース３０と、フロントカバー３１と、表示ユニット３２と、内部機器３３と、端子カバー３４と、フィクスチャ３５とを備えている。そして、このケース３０はその前面部３０ａ、上、下面部３０ｂ、３０ｃ及び左、右面部３０ｄ、３０ｅを有し且つ後面部が開口された箱状態であり、合成樹脂で成形されている。そして、このケース３０の前面部３０ａおよび上面部３０ｂは透明になされている。
【００２８】
このケース３０の先側には上、下面部３０ｂ、３０ｃ及び左、右面部３０ｄ、３０ｅに跨がって鍔部３６が一体形成したあり、この鍔部３６の上、下部位に係合凹部（図示せず）が形成してある。また、ケース３０の前面部３０ａの右部にスイッチ挿入孔部３０ｇが形成してある。また、前記上、下面部３０ｂ、３０ｃの後部には係止孔３８が形成してある。また、前記上、下面部３０ｂ、３０ｃの前側中央部には複数の係止歯８０が形成してある。
【００２９】
前記フロントカバー３１は、前面部３１ａと、上、下面部３１ｂ、３１ｃ及び左，右面部３１ｄ、３１ｅを有し、前面部３１ａには窓部３９が、また前面部３１ａの右部にはスイッチ用孔部４０が形成してある。また、前記上、下面部３１ｂ、３１ｃの中央には係止突起４１が設けてある。
【００３０】
前記表示ユニット３２は、図６に示すように液晶パネル（ＬＣＤ）ホルダー４２と、液晶パネル（ＬＣＤ）４３と、反射板４４と、ゴムコネクター４５と、バックライト基板４６と、ＣＰＵ基板７１とを有しており、液晶パネルホルダー４２内に、液晶パネル４３、反射板４４、ゴムコネクター４５、バックライト基板４６、ＣＰＵ基板７１とがこの順序に挿入してあり、ゴムコネクター４５は液晶パネル４３のコネクタ部４３ａとＣＰＵ基板７１のコネクタ部７１ａとを接続している。
【００３１】
前記内部機器３３はベース４７を備えており、このベース４７は、図９乃至図１３に示すようにその前部から中間部にかけて基板取付部４９が、後部には端子台５０がそれぞれ形成してあり、この基板取付部４９の前面には前方に突出する係止突起５１と上下方向に突出する係止突起５１ａ、５１ｂとが左右に設けてある。また、基板取付部４９は左右の取付板部５２を備えており、これらの取付板部５２にはスリット５３が形成してあり、取付板部５２の上、下縁部に中央には係止孔部５４、５５が設けてある。
【００３２】
前記端子台５０は、その後面５０ａにおいて横仕切り５６と複数の縦仕切り５７とにより仕切らされた上下二段の端子取付部５８を有しており、上段の端子取付部５８には端子装着孔５９が形成してある。この端子装着孔５９は中央に円形孔部６０を有する縦孔部６１と、この縦孔部６１の下端に連なって横長な圧入孔部６２とより構成されている。また、下段の端子取付部５８にも端子装着孔６３が形成してあるが、これらの端子装着孔６３は、上段の端子取付部５８の端子装着孔５９を前記横仕切り５６の軸線ａに対して線対称になる形状しており、この端子装着孔６３は中央に円形孔部６０を有する縦孔部６１と、この縦孔部６１の上端に連なって横長な圧入孔部６２とより構成されている。
【００３３】
また、前記端子台５０の前面５０ｂには前記横仕切り５６に対応する横長のプレート部６４が設けてあり、このプレート部６４の上、下面には前記端子装着孔５９、６３の圧入孔部６２の前方に位置させて一対のガイド部６５がそれぞれに設けてある。
【００３４】
前記端子台５０に装着される端子６６は、図１４（１）、（２）、（３）に示すようにねじ孔６６ｂを有する正方形状の端子本体６６ａの一辺に、この端子本体６６ａの面に対して略直角をなす圧入部６７を形成し、この圧入部６７の先端部にこの圧入部６７より幅狭な接触部６８を形成し、この接触部６８を、その中間部において圧入部６７の面に対して略直角に屈曲させたものである。そして、端子６６のねじ孔６６ｂには端子ねじ７９が螺合してある。
【００３５】
そして、電源基板６９にあっては、その基板本体６９ａの左、右縁部の中央に係止突起７２が形成してあり、基板本体６９ａの前部には係止部７６が、後部には左右方向に所定の間隔をおいて複数のスルーホール７３がそれぞれ設けてある。また、前記入力基板７０も同様に、その基板本体７０ａの左、右縁部の中央には係止突起７４が形成してあり、基板本体７０ａの前部には係止部７７、７８が、後部には左右方向に所定の間隔をおいて複数のスルーホール７５がそれぞれ設けてある。
【００３６】
そして、前記端子台５０には端子６６がそれぞれ装着してある。すなわち、この端子６６の、上段の端子取付部５８の端子装着孔５９への装着は、端子６６の接触部６８の先部６８ａを上方に向けた状態で、この接触部６８を端子装着孔５９の縦孔部６１に挿入して、前記接触部６８を一対のガイド部６５間に挿入し、前記圧入部６７を端子装着孔５９の圧入孔部６２に圧入して行われる。
【００３７】
また、前記端子６６の、下段の端子取付部５８の端子装着孔６３への装着は、端子６６の接触部６８の先部６８ａを下方に向けた状態で、この接触部６８を端子装着孔６３の縦孔部６１に挿入して、前記接触部６８を一対のガイド部６５間に挿入し、前記圧入部６７を端子装着孔６３の圧入孔部６２に圧入して行われる。したがって、前記プレート部６４の上面には一対のガイド部６５間に位置して複数の端子６６の接触部６８が先部６８ａを上方に向けた状態で配置され、前記プレート部６４の下面には一対のガイド部６５間に位置して複数の端子６６の接触部６８が先部６８ａを下方に向けた状態で配置される。
【００３８】
そして、前記電源基板６９は、これの係止部７６を係止突起５１ａに引っ掛けると共に、係止突起７２を前記係止孔部５４に係止し、前記スルーホール７３に端子６６の接触部６８の先部６８ａを挿入して基板取付部４９に取り付けてあり、前記入力基板７０は、これの係止部７７、７８を係止突起５１ｂに引っ掛けると共に、係止突起７４を前記係止孔部５５に係止し、前記スルーホール７５に端子６６の接触部６８の先部６８ａを挿入して基板取付部４９に取り付けてある。この場合、前記取付板部５２にはスリット５３が形成してあって、この取付板部５２が撓み易くなっているために、前記係止突起７２、７４の前記係止孔部５４、５５への係脱が容易になる。
【００３９】
そして、前記表示ユニット３２および内部機器３３は、この順序に前記ケース３０に、これの後部の開口部３０ｆから挿入されていて、内部機器３３の基板取付部４９にある前方に突出する係止突起５１はＣＰＵ基板７１とバックライト基板４６との孔７１ｂ、４６ａに挿入係止されてＣＰＵ基板７１とバックライト基板４６とを保持している。また、前記端子台５０には端子カバー３４が着脱可能に装着してある。
【００４０】
前記フィクスチャ３５は、前記ケース３０の上、下面部３０ｂ，３０ｃの係止歯８０に係止する係止部８３と、制御パネルに押し付けられる押圧端部８４と、この押圧端部８４を制御パネル側に付勢するばね部８５を有している。
【００４１】
そして、上記のように構成された制御機器は、図１５に示すように制御パネル８１に形成された装着孔８２に挿入されて、前記鍔部３６と制御パネル８１との間にシール材を介装してケース３０に前記フィクスチャ３５を嵌めてこのフィクスチャ３５の係止部８３をケース３０の上、下面部３０ｂ、３０ｃの係止歯８０に係止させてフィクスチャ３５の押圧端部８４を、ばね部８５のばね力で制御パネル８１に押し付けて制御パネル８１に固着してあり、この場合、前記ケース３０の前部は前記制御パネル８１より表側に突出している。そして、このケース３０の前部に、前記制御パネル８１の色と同色に着色されたフロントカバー３１が被せてあって、このフロントカバー３１の係止突起４１が、前記鍔部３６の上、下部位の係止凹部に係止してこのフロントカバー３１がケース３０に取り付けてある。この場合、前記フロントカバー３１の窓部３９から前記表示ユニット３２の表示が見えるようになる。
【００４２】
そして、フロントカバー３１のスイッチ用孔部４０を介してケース３０のスイッチ挿入孔部３０ｇにスイッチ操作部材４０ａが挿入してある。
【００４３】
実施例２にあっては、端子６６を、ねじ孔６６ｂを有する端子本体６６ａの一辺に、この端子本体６６ａの面に対して略直角をなす圧入部６７を形成し、この圧入部６７の先端部にこの圧入部６７より幅狭な接触部６８を形成し、この接触部６８を、その中間部において圧入部６７の面に対して略直角に屈曲させて構成してあり、端子台５０の端子取付部５８に、端子６６の接触部６８が挿入されると共に、端子本体６６ａのねじ部６６ｂに螺合する端子ねじ７９が挿入される縦孔部６１と、この縦孔部６１の端部に連なって端子６６の圧入部６７が圧入される圧入孔部６２とを有する端子装着孔５９、６３を設けてあることから、端子６６の接触部６８を端子装着孔５９、６３の縦孔部６１に挿入して、前記圧入部６７を端子装着孔５９、６３の圧入孔部６２に圧入して端子６６を端子台５０の端子取付部５８に取り付けることができて、複数の端子６６の接触部６８の先部６８ａを一方向に向けた状態で配置することができる。
【００４４】
このために、電源および入力基板６９、７０のスルーホール７３、７５に接触部６８の先部６８ａを挿入するにあたって、電源および入力基板６９、７０を、端子６６の接触部６８の先部６８ａが向いた方向から組み込むことができて、自動組み立てが容易になる。しかも、電源および入力基板６９、７０のスルーホール７３、７５に接触部６８の先部６８ａを挿入して半田付けができるので、基板取付時の電源および入力基板６９、７０と端子６６の位置関係が低精度（ラフ）であっても強度をもった半田付けができる。
【００４５】
また、本発明の係わる制御機器において、図１６に示すようにケース３０の上面部３０ｂを透明にして、このケース３０内に端子６６の接続図（表示部）を表示した印刷物８４を収容して、この印刷物８４をケース３０の上面部３０ｂを介して透視するようにすれば、印刷物８４に水や油が付着することがなく、印刷物８４の表示が消えることがなく、また、印刷物８４が剥がれて紛失するといった不具合がなくなる。また、ラベルのように裏に接着層を必要としないために、安価になる。
【００４６】
【発明の効果】
以上説明したように、本発明は、後面部が開口され、この開口部からベースを備えた内部機器を挿入して収容装着すると共に、前記開口部から前記ベースに装着した端子を突出させた箱状のケースを有し、このケースの前面部が箱状に形成された他の部分と共に一体に形成され、且つ、前記前面部を透明に形成すると共に、該前面部には、その内側に配置された表示板を透視可能な窓部を設けたフロントカバーを被せて構成したから、ケースの前面側からの防水が確実なものになる。
【００４７】
また、本発明は、請求項１記載の制御機器のケース構造において、フロントカバーを着色したから、ケースにフロントカバーを被せることにより、ケースの制御パネル外に出る前部の色を種々変えることができて、この前部が制御パネルの色に調和するようにフロントカバーを選ぶことにより、デザイン上違和感のないものにすることができる。
【図面の簡単な説明】
【図１】本発明に係わる制御機器のケース構造（実施例１）の一部省略した分解斜視図である。
【図２】同制御機器のケース構造の制御パネルへの取付状態の一部分解した断面図である。
【図３】同制御機器のケース構造の正面図である。
【図４】本発明に係わる制御機器のケース構造の前部分の断面図である。
【図５】本発明に係わる制御機器のケース構造の端子台における端子取付状態と基板組み込みの説明図である。
【図６】本発明に係わる制御機器のケース構造（実施例２）の分解斜視図である。
【図７】同制御機器のケース構造の縦断面図である。
【図８】（１）は同制御機器のケース構造の横断面図である。
（２）は端子のガイド部による保持状態の斜視図である。
【図９】本発明に係わる制御機器のケース構造のベースの平面図である。
【図１０】図９のＸ方向からの矢視図である。
【図１１】図９のＹ方向からの矢視図である。
【図１２】図９のＺ方向からの矢視図である。
【図１３】図９のＳ−Ｓ線に沿う断面図である。
【図１４】（１）は端子の平面図である。
（２）は端子の正面図である。
（３）は端子の側面図である。
【図１５】制御機器のケース構造の制御パネルへの取付状態の説明図である。
【図１６】端子の接続図を表示した印刷物をケースに組み込む状態の斜視図である。
【図１７】従来の制御機器のケース構造の前部分の斜視図である。
【図１８】同ケース構造の前部分の断面図である。
【符号の説明】
１      ケース
１ａ    前面部
２      フロントカバー
【図１】
0003550718.tif 000002
【図２】
0003550718.tif 000003
【図３】
0003550718.tif 000004
【図４】
0003550718.tif 000005
【図５】
0003550718.tif 000006
【図６】
0003550718.tif 000007
【図７】
0003550718.tif 000008
【図８】
0003550718.tif 000009
【図９】
0003550718.tif 000010
【図１０】
0003550718.tif 000011
【図１１】
0003550718.tif 000012
【図１２】
0003550718.tif 000013
【図１３】
0003550718.tif 000014
【図１４】
0003550718.tif 000015
【図１５】
0003550718.tif 000016
【図１６】
0003550718.tif 000017
【図１７】
0003550718.tif 000018
【図１８】
0003550718.tif 000019